(57)【要約】【課題】造花を墓地にお供えする場合に、複数本の花を、単に束ねるだけでは花立てや花筒の中での固定性が悪く、風でばらばらになったり強風で吹き飛ばされることもあった。故人の好きな花を生花のない時期にお供えし、花立ての中で安定させることが、永年の課題であった。また、室内の装飾用の花木についても安定固定が求められることがあった。【解決手段】造花の茎を少し長くし、複数本を束ねた後、茎の下部を折り曲げてループ状の折り返し構造とする。ループ状の膨らみが外に向かって周辺に拡がっており、花立てや花筒の内部でクッションの役割を果すようにして、安定化させた。花立てや花筒の内部から花立ての内面を押す力が働き、花束の動きが止まり安定化した。簡単な構造で、風雨にさらされても崩れない造花の花束が完成した。茎の部分の膨らみ構造だけで安定化が実現でき、人通りの多い場所の装飾用の花立にも採用できる。【選択図】    図１
0003118143.tif 000002
【実用新案登録請求の範囲】
【請求項１】
花立てに挿入する茎部分を折り曲げて膨らみを持たせて束ねた造花の構造
【請求項２】
２本以上の造花の茎が折り曲げられて膨らみ構造の状態で束ねられ曲げた茎が花立ての中でばねの役を果すことにより形崩れの発生しない構造の造花
【考案の詳細な説明】
【技術分野】
【０００１】本考案は、室内装飾やお墓にお供えする造花において、その花束が花器の中で安定し、屋外の場合にも風雨によって形崩れや散逸しない造花の構造に関する。
【背景技術】
【０００２】お墓のお供え用の花としては、榊やしきみ、菊、百合等の生花が最も多く使用されている。しかし、生花は、夏季においては１週間程度すると水の吸い上げが悪くなり、或いは水が枯渇して枯れてしまうのが普通である。最近、長持ちする造花が、スーパーやホームセンターで販売されるようになり、一部のお墓では利用される時代となりつつある。しかし、従来の花立ての場合、穴の直径は大きく、造花を束ねてお供えしても固定できなく、束は風が吹けば花立ての中で回転し、風が強ければ、花立てから飛び出して散逸することが多かった。造花を花立ての中で安定させる構造的工夫については未開拓であった。【０００３】屋外の風にも耐えうる花束構造は、室内装飾用にも応用できる。室内の場合には、肩が触れたり手が当って、花束が回転し、花の位置関係が崩れることは、しばしば起こることである。周り階段に置いた花立てにおいても、花束が乱れることはよく経験しているが、剣山のようなものやスポンジに突き刺して固定する程度で、造花の安定構造についての技術はなかった。【０００４】先行特許について、特許庁特許電子図書館において、公開特許フロントページ検索を行った。造花、束、束の構造、束ね方、墓等をキーワードとし、ＩＰＣとしては、Ａ４１Ｇ１／００、Ｅ０４Ｈ１３／００を入力して検索すると１件の特許が検索できた（特許文献１）。しかし、これは花の束のバンドに引っ掛ける重りの特許であった。上記のキーワードから墓を除いて検索すると一般的な造花の束ね方の検索となるので、実行したところ１０件が検索できた。礼服に取り付け易い構造の造花（特許文献２）、テープを巻きつける方式の造花連結体（特許文献３）、複数の茎部を樹脂層で被覆した造花結束品の特許の公開であり（特許文献４）、本考案に関係あるものは、１０件の中には見当たらなかった。つぎに、実用新案について初心者向け検索で、造花について平成５年以降の特許・実用新案を検索すると、２３０件の実用新案が検索できたが、造花、束ね方、束の構造で検索すると、特許も実用新案もゼロ件であった。以上の検索結果から本考案に関連する先行技術は見当たらないことが分かった。【０００５】
【特許文献１】特開２００２−１６１６５１
【特許文献２】特開２００２−３０９４２８
【特許文献３】特開平１０−０４６４１６
【特許文献４】特開２００２−２２０７２０
【考案の開示】
【考案が解決しょうとする課題】
【０００６】お墓へのお供えの方が厳しい条件であるので、その場合の解決しようとする課題を記載する。これまで造花の束をお墓にお供えしても安定性が悪く、折角花の配置をデザインしても崩れてしまい見苦しい造花の束になることが多かった。強風が吹くと花立てより飛び出すこともあり美しい造花の束の維持が困難であった。この課題を解決し、室内だけでなく、お墓のお供え用としても普及させるのが目的である。近年、花の材料であるプラスチックや繊維布帛の耐光性や耐候性の向上は顕著であり、数ヶ月間にわたって日光や風雨にさらされても余り見苦しくならない材料を使うことができる。砂ほこりについても時々の雨で洗われ、花や葉っぱの上に堆積しないことも認めている。
【課題を解決するための手段】
【０００７】本考案者は、花立ての穴の中に挿入して、型崩れしないように、しかも他の付属品を追加して使用する方法ではなく、簡便に効果のある構造の検討を重ねて、新規な花束構造を考案するに至った。すなわち、造花を一本ずつ作成するときに、茎の長さを若干長くして、折り曲げ構造によってループを形成させ得る造花にし、その折り曲げ構造を外に向けて配列させると、ばね構造が完成することを考案した。多くの場合、５本から１５本程度の造花を集めて束構造を作るときに全ての花でも良いし、全部ではなくて複数本の茎を長くして、折り曲げて周辺に配置しても差し支えない。花立てに差し込む花束の下部に、花立ての穴の径より大きい膨らみ構造が形成されておればよい。
【０００８】折り曲げ構造の束を花立てに挿入する場合、茎の下部の挿入する先端の直径は、花立て或いは花筒の直径より小さく、差込み易くして、折り返し部の途中が、花立ての内部の直径より広がっておけば、固定できることが分かり解決した。造花の茎は針金に、テープ状の紙、布、プラスチックを巻いて形成しており、お墓の現地で、花立ての穴にあわせて、広げることも狭める事もできる構造にしてお供え作業を容易にした。室内の装飾用の場合にも折り返しの茎の長さが十分あれば、茎の部分の膨らみ調整だけで、内径８５ｍｍまでの花立での中で安定固定できる。
【０００９】造花の茎の折り返し構造は、アーチ状であっても、この字型でも差し支えない。折り返し構造の造花の茎の本数が多い場合には、三角形状の突起構造であってもよい。すなわち、茎の折り返しの形状は、とくに限定するものではなく、ばねとして働くように折り返して束ねてあれば、本考案の目的は達成できる。
【考案の効果】
【００１０】本考案の新規な花束構造によって、きれいにデザインした花束が、花立ての中で安定し、長期間崩れないことを認めた。しきみ、色々の種類の菊、ゆり等の花を複数本から１０数本セットにして、花束とするに当り、茎を折り返へしてばね構造にして端の所が束になっておれば、折り返した茎が花立てや花筒の内部で、周辺に押付け効果が現れ、挿入した花束は、ほぼ固定したように動かなくなる。本考案の効果はこの動き止め効果である。風のない室内用のバラの造花では、３本ないし４本程度の茎の折り返しによる茎の膨らみで安定した。
【考案を実施するための最良の形態】
【００１１】本考案の最良の形態を、お墓のお供え用の造花について図によって説明するが、お墓用に限定するものではない。人工の砂や土を使用しないで、活ける造花には全て適用できる基本的な考案である。図１はしきみの造花である。１は上部の葉っぱの茂っている所であるが、茎の所を２のように折り返して端は茎に沿うようにして芯の針金により紡錘形の折り返し構造の造花にする。このような造花を花束にしたい複数の花で作り、図２の３に示すように真っ直ぐな茎を集めて周辺に折り曲げ構造が来るように束にしていく。図３は菊の造花であり、図１と同様に茎の端は折り曲げられて紡錘形の形状となっている。造花を５から１５本束ねて、折り曲げたその先を束ねると、図４の５に示すような花束の下部構造となる。これを花入れや花筒に挿入すると、最初は抵抗があるが、差し込むことによ花束は花入れの奥に深く入れることができ、周辺にあるばね構造により穴の内部でしっかりと固定される。本数が多い場合には、全てを折り曲げなくても固定できる。【００１２】より作業性のよい実施形態を説明する。供花のデザインを考えて、１０本から１２本程度の花束をまず組み合わせる。その場合、茎の下の端から折り返し部分を残して、数センチメートルを束ねて花の配置を決定する。その後、束ねた所の下の茎を折り曲げて紡錘形のふくらみを順につくり、図４の５の構造を完成させる。折り返しができる造花が、数本以上あれば安定するが、全ての造花を折り返ししてもよい。先に束ねた所よりもさらに上で、茎の先をまとめて束ねるとばねの配置がコントロールし易い。実施例として、お墓の供花について記載するが、これに限定するものではない。
【実施例１】
【００１３】テープ状の布でカバリングした針金の先端にプラスチックの茎をセットし、さらに枝をつけ、その先に葉っぱを取り付けて、しきみを３本作成した。故人の好きなゆりの造花も２本作成し、菊も作って、あわせて１０本の造花の束を作成した。花の配置と色の組み合わせにより最良のデザインを決定し束ねた。その後、茎の端から折り返し、一個所に集まらないように、断面で見て放射状に、間隔を空けて真っ直ぐい茎より周辺に拡がり図４のような下部構造の造花の束ができた。これを一対作成し、お墓の左右の花立てにお供えした。紡錘形のふくらみの先を花筒に差し込み、広がった折り返し部分を少しずつ挿入し、花筒の中で固定できた。５月にお供えし、９月まで、花束の形状の崩れはなく、デザインした花束のままで花筒に存続した。使用した繊維やプラスチックには、ポリエステルを使用したが、耐光性の良い素材であり、造花が傷む事もなく、顔料で色づけした色もあせずに数ヶ月保つことができた。花や葉っぱも、粉塵によってさほど汚れることもなく初期の状態と余り変らなった。
【産業上の利用可能性】
【００１４】造花をお供えすることに抵抗のある人は多いが、きれいな造花を年中お供えするのに違和感を持たない人も、徐々に多くなってきている。お盆のような真夏では、生花のお供えが直ぐ傷むことから、本来はデコレーション用の造花が、スーパーやホームセンターの花屋の店頭でお墓用としても売られている。これまでの崩れ易い１本１本を単に束ねただけの造花の花束に対して、造花の花の配置がデザインでき、そのまま崩れない花束になることは、花束を生産し、消費者にそのまま使用していただく製品として、大きな利点であり、本考案の構造は、業界で普及するものと考えられる。
【図面の簡単な説明】
【００１５】
【図１】根元の近い所の茎を折り曲げたしきみの造花の側面模式図
【図２】折り曲げた茎の所を２本合わせた模式図
【図３】１本の菊の茎を折り曲げた造花の側面模式図
【図４】６本の茎を折り曲げて束ねた造花の束の花立てに挿入する部分の模式図
【符号の説明】
【００１６】１  しきみの葉の部分
２  しきみの茎を折り曲げて花束の中でふくらんだ部分
３  折り曲げた２本の茎の所を合わせた所
４  菊の造花の葉と花束の下部で折り曲げた部分
５  ６本の造花の茎を折り曲げて束ねた花立て挿入部
【図１】
0003118143.tif 000003
【図２】
0003118143.tif 000004
【図３】
0003118143.tif 000005
【図４】
0003118143.tif 000006